(57)【要約】【課題】  コンピュータ本体の裏面側に表示部を位置させたときにコンピュータ本体の裏面と表示部の表示面が対向した状態でコンピュータ本体の裏面側に格納でき大画面表示部をコンピュータ本体の奥側に位置して使用でき大画面表示部に接続時にノート型パーソナルコンピュータをデスクトップ型パーソナルコンピュータのキーボード感覚で使用できる。【解決手段】  コンピュータ本体１には奥側端部に切欠部１ａが設けられ、この切欠部の両側面に形成された軸孔１ｂに保持部材３の両側の軸部３ａが回転可能に嵌入され、保持部材の裏側には表示部２を１８０度回転可能に支持する軸部材３ｂが突出されており、コンピュータ本体に対して表示部を開いた状態で表示部を１８０度回転して表示部をその表示面２ａが正面向きになった状態でコンピュータ本体の裏面側に位置させることによって、コンピュータ本体の裏面に表示部の表示面が対向した状態で表示部を格納する。【選択図】  図2
2007316823.tif 000002
【特許請求の範囲】
【請求項１】
コンピュータ本体の裏面側に表示部を格納するようにしたノート型パーソナルコンピュータにおいて、前記コンピュータ本体には奥側端部に切欠部が設けられ、この切欠部の両側面に形成された軸孔に保持部材の両側の軸部が回転可能に嵌入され、前記保持部材の裏側には表示部を１８０度回転可能に支持する軸部材が突出されており、前記コンピュータ本体に対して前記表示部を開いた状態で前記表示部を１８０度回転して前記表示部をその表示面が正面向きになった状態で前記コンピュータ本体の裏面側に位置させることによって、前記コンピュータ本体の裏面に前記表示部の表示面が対向した状態で前記表示部を格納するように構成したことを特徴とするノート型パーソナルコンピュータ。
【請求項２】
コンピュータ本体の裏面側に表示部を格納するようにしたノート型パーソナルコンピュータにおいて、前記コンピュータ本体の裏面側に前記表示部を格納するときに、前記表示部の表示面が前記コンピュータ本体の裏面に対向した状態で格納するように構成したことを特徴とするノート型パーソナルコンピュータ。
【請求項３】
前記表示部は前記コンピュータ本体に対して回転可能に枢支されてコネクタによって接続されており、前記表示部が前記コンピュータ本体に対してその表示面が上向きになる略平行な状態で前記コネクタを外すことにより、前記コンピュータ本体の裏面側に前記表示部をスライドさせて前記コンピュータの裏面と前記表示部の表示面が対向した状態で前記コンピュータ本体の裏面側に前記表示部を格納するように構成した請求項２に記載のノート型パーソナルコンピュータ。
【発明の詳細な説明】
【技術分野】
【０００１】
本発明は、コンピュータ本体の裏面側に表示部を格納するようにしたノート型パーソナルコンピュータに関するものである。
【背景技術】
【０００２】
従来のノート型パーソナルコンピュータは、図１０に示すように、ＣＡＤ等を使用する際に大画面表示部１０１を必要とする場合、ノート型パーソナルコンピュータ１０２の表示部１０３と大画面表示部１０１を並列に置かざるを得ないために、操作が行い難いという問題があった。
【０００３】
第１の従来技術を図１１に示す。この従来のノート型パーソナルコンピュータのヒンジ機構は、図１１に示すように、ノート型パーソナルコンピュータ（パソコン）の表示装置部２０１と本体装置部２０２との間に設けられ、表示装置部２０１を開くヒンジ機構２０３において、表示装置部２０１側に設けられた第１の回転軸２０５と、本体装置部２０２側に設けられた第２の回転軸２０６とを備え、表示装置部２０１が、蓋機能も兼ね備え、本体装置部２０２の底面に当接するまで開く。また、回転軸２０６の動きを規制して、表示装置部２０１の開角度を一定の角度の保持する着脱自在な蓋２０４を備える。              
【０００４】
（例えば、特許文献１参照）。
【０００５】
ところが、これにおいては、表示装置２０１を本体装置部２０２の下側に配置した場合に表示装置２０１の表示画面が下側に位置することになるという問題があった。
【０００６】
第２の従来技術を図１２（ａ）（ｂ）（ｃ）に示す。この従来の電子機器は、図１２（ａ）（ｂ）（ｃ）に示すように、ＰＣ本体と表示部との間の接続部分に設けられたヒンジ部３０５は、ＰＣ本体の上面カバー３０３ａに形成された開口部３１１を塞ぐヒンジカバー３１２を有する。ヒンジカバー３１２は、上面カバー３０３ａの係合孔３１５に係合するラッチ爪３１３を有する。ヒンジカバー３１２を取り外す場合、ノートＰＣのリア側から係合孔３１５に工具を挿通し、ラッチ爪３１３を押圧して係合を解除する。（例えば、特許文献２参照）。
【０００７】
ところが、これにおいては、ヒンジカバー３１２の取り外し構造に関するものであった。
【０００８】
第３の従来技術を図１３（ａ）（ｂ）に示す。この従来の蓋開成装置は、図１３（ａ）（ｂ）に示すように、ノート型パソコン４１５は本体筐体４１６とキーボード４１７が一体に構成され非使用時には蓋体４１９で覆われている。使用時に蓋体４１９をヒンジ４１８を中心にして回動させ例えば９０°から１５０°くらいまでの範囲で開成する。このときヒンジ４１８と一体の駆動ギア４２３が回動し、これに噛合する従動ギア４２４が連動して支持軸４２５を中心に回動し、従動ギア４２４に一体の突出部材４２６が回動して本体筐体４１６底面の収納孔４２７内から外部に突出し、その突出部が載置台４２１に当接して本体筐体４１６の奥側端部を持ち上げ支持し、キーボード４１７が本体筐体４１６ごとユーザの方向に後端部が持ち上がった状態となり、キーボード４１７に傾斜が形成される。（例えば、特許文献３参照）。
【０００９】
ところが、これにおいては、蓋体４１９の開成に連動して本体筐体４１６を傾斜させるだけのものであった。
【特許文献１】特開２０００−２０７０５８号公報
【特許文献２】特開２００５−１０８９９０号公報
【特許文献３】特開２００４−２８７６０８号公報
【発明の開示】
【発明が解決しようとする課題】
【００１０】
本発明は、上記従来の問題に鑑みてなされたものであって、コンピュータ本体の裏面側に表示部を位置させたときに、コンピュータ本体の裏面と表示部の表示面が対向するようにできて表示部の表示面が下側に位置しないようにコンピュータ本体の裏面側に格納することができ、大画面表示部をコンピュータ本体の奥側に位置させて使用することができて、大画面表示部に接続時にノート型パーソナルコンピュータをデスクトップ型パーソナルコンピュータのキーボード感覚で使用することができるノート型パーソナルコンピュータを提供することを目的としている。
【課題を解決するための手段】
【００１１】
本発明は、上記課題を解決するために提案されたものであって、請求項１に記載の発明は、コンピュータ本体の裏面側に表示部を格納するようにしたノート型パーソナルコンピュータにおいて、前記コンピュータ本体には奥側端部に切欠部が設けられ、この切欠部の両側面に形成された軸孔に保持部材の両側の軸部が回転可能に嵌入され、前記保持部材の裏側には表示部を１８０度回転可能に支持する軸部材が突出されており、前記コンピュータ本体に対して前記表示部を開いた状態で前記表示部を１８０度回転して前記表示部をその表示面が正面向きになった状態で前記コンピュータ本体の裏面側に位置させることによって、前記コンピュータ本体の裏面に前記表示部の表示面が対向した状態で前記表示部を格納するように構成したことを特徴としている。
【００１２】
請求項２に記載の発明は、コンピュータ本体の裏面側に表示部を格納するようにしたノート型パーソナルコンピュータにおいて、前記コンピュータ本体の裏面側に前記表示部を格納するときに、前記表示部の表示面が前記コンピュータ本体の裏面に対向した状態で格納するように構成したことを特徴としている。
【００１３】
請求項３に記載の発明は、請求項２に記載の発明において、前記表示部は前記コンピュータ本体に対して回転可能に枢支されてコネクタによって接続されており、前記表示部が前記コンピュータ本体に対してその表示面が上向きになる略平行な状態で前記コネクタを外すことにより、前記コンピュータ本体の裏面側に前記表示部をスライドさせて前記コンピュータの裏面と前記表示部の表示面が対向した状態で前記コンピュータ本体の裏面側に前記表示部を格納するように構成したものである。
【発明の効果】
【００１４】
請求項１に記載の発明によれば、表示部をコンピュータ本体に対して開いた状態で１８０度回転して表示部をその表示面がコンピュータ本体の裏面に対向するようにすることができて、表示部の表示面が下側に位置することがない。従って、大画面表示部をコンピュータ本体の奥側に位置させて使用することができて、大画面表示部に接続時にノート型パーソナルコンピュータをデスクトップ型パーソナルコンピュータのキーボード感覚で使用することができる。
【００１５】
請求項２に記載の発明によれば、表示部の表示面がコンピュータ本体の裏面に対向した状態で格納することができる。従って、大画面表示部をコンピュータ本体の奥側に位置させて使用することができて、大画面表示部に接続時にノート型パーソナルコンピュータをデスクトップ型パーソナルコンピュータのキーボード感覚で使用することができる。
【００１６】
請求項３に記載の発明によれば、表示部がコンピュータ本体と略平行な状態でコネクタを外すことにより、コンピュータ本体に対して表示部をスライドさせることにより、表示部の表示面がコンピュータ本体の裏面に対向した状態でコンピュータ本体の裏面側に表示部を格納することができる。従って、大画面表示部をコンピュータ本体の奥側に位置させて使用することができて、大画面表示部に接続時にノート型パーソナルコンピュータをデスクトップ型パーソナルコンピュータのキーボード感覚で使用することができる。
【発明を実施するための最良の形態】
【００１７】
以下、本発明に係るノート型パーソナルコンピュータの実施の形態について、図を参照しつつ説明する。
【００１８】
図１は本発明の第１実施形態のノート型パーソナルコンピュータにおける表示部を閉めた状態の斜視図、図２（ａ）は図１の状態から表示部を開けた状態の斜視図、（ｂ）は要部の構造を示す部分拡大斜視図、（ｃ）は（ａ）の状態から表示部を１８０度回転させた状態の斜視図、図３は表示部をコンピュータ本体の裏面側に位置させた状態の斜視図、図４は図３の状態のノート型パーソナルコンピュータの奥側に大画面表示部を配置した状態の斜視図である。
【００１９】
この第１実施形態のノート型パーソナルコンピュータは、図１に示すように、コンピュータ本体１に表示部２が開閉可能に取り付けられている。図２（ａ）（ｂ）に示すように、コンピュータ本体１の奥側端部に切欠部１ａが設けられ、この切欠部１ａの両側面に軸孔１ｂ、１ｂが形成され、ブロック状の保持部材３の両側の軸部３ａ、３ａがこの軸孔１ｂ、１ｂに回転可能に嵌入されている。また、保持部材３の裏側には表示部２を１８０度回転可能に支持する軸部材３ｂが突出されている。図２（ａ）に示すように、コンピュータ本体１に対して表示部２を開いた状態で、図２（ｃ）に示すように、１８０度回転して表示部２をその表示面２ａが正面向きにし、図３に示すように、コンピュータ本体１の裏面側に位置させる。この状態では、コンピュータ本体の裏面に対して表示部２の表示面２ａが対向した状態になっている。図４に示すように、大画面表示部Ｄをノート型パーソナルコンピュータＮの奥側に配置して、この大画面表示部Ｄを使用することができる。
【００２０】
従って、この第１実施形態によれば、大画面表示部Ｄをコンピュータ本体１の奥側に位置させて使用することができて、大画面表示部Ｄに接続時にノート型パーソナルコンピュータＮをデスクトップ型パーソナルコンピュータのキーボード感覚で使用することができる。
【００２１】
図５は第２実施形態のノート型パーソナルコンピュータにおける表示部を閉めた状態の斜視図、図６は図５の状態から表示部を開いた状態の斜視図、図７（ａ）は図６の状態から表示部をコンピュータ本体に対して略平行な状態にした斜視図、（ｂ）は要部の構造を示す部分側面図、図８は表示部をコンピュータ本体の裏面側に位置させた状態の斜視図、図９は図８の状態のノート型パーソナルコンピュータの奥側に大画面表示部を配置した状態の斜視図である。
【００２２】
この第２実施形態のノート型パーソナルコンピュータは、図５に示すように、コンピュータ本体１Ａに表示部２Ａが開閉可能に枢支されている。図６に示すように、コンピュータ本体１Ａに対して表示部２Ａを開き、更に、図７（ａ）に示すように、コンピュータ本体１Ａに対して表示部２Ａを略平行な状態とする。この状態では、表示部２Ａの表示面２ａは上向きになっている。図７（ｂ）に示すように、コンピュータ本体１Ａと表示部２Ａを接続しているコネクタ４、５を外し、コンピュータ本体１Ａの裏面側に表示部２Ａをスライドさせる。尚、コンピュータ本体１Ａに表示部２Ａを枢支している支持部６はコネクタ４、５を外すときに、表示部２Ａから外れるようにすればよい。図８の状態では、コンピュータ本体１Ａの裏面と表示部２Ａの表示面２ａが対向した状態になっている。図９に示すように、大画面表示部Ｄをノート型パーソナルコンピュータＮ１の奥側に配置して、この大画面表示部Ｄを使用することができる。
【００２３】
従って、この第２実施形態によれば、表示部２Ａがコンピュータ本体１Ａと略平行な状態でコネクタ４、５を外すことにより、コンピュータ本体１Ａに対して表示部２Ａをスライドさせることにより、表示部２Ａの表示面２ａがコンピュータ本体１Ａの裏面に対向した状態でコンピュータ本体１Ａの裏面側に表示部２Ａを格納することができる。従って、大画面表示部Ｄをコンピュータ本体１Ａの奥側に位置させて使用することができて、大画面表示部Ｄに接続時にノート型パーソナルコンピュータＮ１をデスクトップ型パーソナルコンピュータのキーボード感覚で使用することができる。
【図面の簡単な説明】
【００２４】
【図１】本発明の第１実施形態のノート型パーソナルコンピュータにおける表示部を閉めた状態の斜視図である。
【図２】（ａ）は図１の状態から表示部を開けた状態の斜視図、（ｂ）は要部の構造を示す部分拡大斜視図、（ｃ）は（ａ）の状態から表示部を１８０度回転させた状態の斜視図である。
【図３】表示部をコンピュータ本体の裏面側に位置させた状態の斜視図である。
【図４】図３の状態のノート型パーソナルコンピュータの奥側に大画面表示部を配置した状態の斜視図である。
【図５】第２実施形態のノート型パーソナルコンピュータにおける表示部を閉めた状態の斜視図である。
【図６】図５の状態から表示部を開いた状態の斜視図である。
【図７】（ａ）は図６の状態から表示部をコンピュータ本体に対して略平行な状態にした斜視図、（ｂ）は要部の構造を示す部分側面図である。
【図８】表示部をコンピュータ本体の裏面側に位置させた状態の斜視図である。
【図９】図８の状態のノート型パーソナルコンピュータの奥側に大画面表示部を配置した状態の斜視図である。
【図１０】従来のノート型パーソナルコンピュータの側方に大画面表示部を配置した状態の斜視図である。
【図１１】従来のノート型パーソナルコンピュータのヒンジ機構を示す断面図である。
【図１２】従来のノート型パーソナルコンピュータを示し、（ａ）はその斜視図、（ｂ）はその背面側から見た斜視図、（ｃ）はそのヒンジ部の拡大断面図である。
【図１３】従来の蓋開成装置を示し、（ａ）はその側面図、（ｂ）はその側面を切り欠いて内部の構成を示す断面図である。
【符号の説明】
【００２５】
Ｎ      ノート型パーソナルコンピュータ
Ｎ１    ノート型パーソナルコンピュータ
Ｄ      大画面表示部
１      コンピュータ本体
１Ａ    コンピュータ本体
１ａ    切欠部
１ｂ    軸孔
２      表示部
２Ａ    表示部
２ａ    表示面
３      保持部材
３ａ    軸部
３ｂ    軸部材
４      コネクタ
５      コネクタ
６      支持部
【図１】
2007316823.tif 000003
【図２】
2007316823.tif 000004
【図３】
2007316823.tif 000005
【図４】
2007316823.tif 000006
【図５】
2007316823.tif 000007
【図６】
2007316823.tif 000008
【図７】
2007316823.tif 000009
【図８】
2007316823.tif 000010
【図９】
2007316823.tif 000011
【図１０】
2007316823.tif 000012
【図１１】
2007316823.tif 000013
【図１２】
2007316823.tif 000014
【図１３】
2007316823.tif 000015